(57)【要約】      （修正有）【課題】生産コストおよび組立時間を節約する２画面を有する液晶表示装置を提供する。【解決手段】２画面の液晶表示装置を提供するものであり、枠体と、枠体内に固定されるバックライトモジュールと、主画面３０と、枠体上に固定される副画面４０と、を備える。枠体はケーシング１１を備え、ケーシング１１は基板を有し、基板上には複数のストッパー壁１１７が設けられる。副画面４０は枠体のケーシング１１上に固定され、副画面の辺縁はストッパー壁１１７上に支持される。本考案は２画面を有する液晶表示装置の組立過程において、副画面４０を枠体上に固定するとき、副画面４０の辺縁をストッパー壁１１７上に支持して位置決めを行なうことによって、２画面を有する液晶表示装置の生産コストを低減し、組立時間を節約することができる。【選択図】図６
0003142775.tif 000002
【実用新案登録請求の範囲】
【請求項１】
ケーシングを備え、前記ケーシングは基板を有し、前記基板上には複数のストッパー壁が設けられる枠体と、
前記枠体に固定されるバックライトモジュールと、
前記枠体に固定される主画面と、
前記枠体のケーシング上に固定され、辺縁が前記ストッパー壁上に支持される副画面と、を備えることを特徴とする２画面を有する液晶表示装置。
【請求項２】
更に、内枠を備え、前記内枠は複数の辺枠部を有し、前記辺枠部の外側縁には枠壁が垂直に設けられ、前記基板の周縁には複数の側壁部が垂直に設けられ、前記側壁部は前記枠壁を被覆して前記枠壁上に固定され、前記ケーシング上には蓋枠が設置され、前記蓋枠は複数の枠辺を有し、前記枠辺外側縁には側壁が垂直下方に設けられ、前記側壁は前記ケーシングの側壁部を被覆して前記ケーシングの側壁部上に固定されることを特徴とする請求項１記載の２画面を有する液晶表示装置。
【請求項３】
前記ケーシングの基板上には、複数の補助孔が設けられ、前記ストッパー壁は前記補助孔の孔縁から外部に湾曲して形成されることを特徴とする請求項２記載の２画面を有する液晶表示装置。
【請求項４】
前記副画面は、両面粘着テープによって前記ケーシングの基板上に貼合されることを特徴とする請求項１記載の２画面を有する液晶表示装置。
【請求項５】
更に、主回路板を備え、前記主回路板はフレキシブル回路板であり、前記主画面および副画面は前記主回路板上にそれぞれ接続されることを特徴とする請求項１記載の２画面を有する液晶表示装置。
【請求項６】
主枠を備え、前記主枠は基板を有し、前記基板上には複数のストッパー壁が設けられる枠体と、
前記枠体に固定されるバックライトモジュールと、
前記枠体に固定される主画面と、
前記枠体の主枠上に固定され、辺縁が前記ストッパー壁上に支持される副画面と、を備えることを特徴とする２画面を有する液晶表示装置。
【請求項７】
前記基板の周縁には複数の第１の枠壁が設けられ、前記第１の枠壁の外側には第２の枠壁が設けられ、一側の第１の枠壁および第２の枠壁上には主枠開口が設けられ、前記主枠上には蓋枠が設置され、前記蓋枠は複数の枠辺を有し、前記枠辺外側縁には側壁が垂直下方に設けられ、前記側壁は前記主枠の第１の枠壁および第２の枠壁上に被覆されて固定されることを特徴とする請求項６記載の２画面を有する液晶表示装置。
【請求項８】
前記副画面は、両面粘着テープによって前記主枠の基板上に貼合されることを特徴とする請求項６記載の２画面を有する液晶表示装置。
【請求項９】
更に、主回路板を備え、前記主回路板はフレキシブル回路板であり、前記主画面および副画面は前記主回路板上にそれぞれ接続されることを特徴とする請求項６記載の２画面を有する液晶表示装置。
【考案の詳細な説明】
【技術分野】
【０００１】
本考案は液晶表示装置に関し、特に、２画面を有する液晶表示装置に関する。
【背景技術】
【０００２】
従来技術による２画面を有する液晶表示装置は、主画面、副画面、バックライトモジュールおよび枠体を備え、主画面、副画面およびバックライトモジュールが枠体上に固定されて構成される。
【０００３】
しかし、上述の従来技術において、副画面を枠体上に組立てるとき、治具によって位置決めをする必要があるので、粉塵が発生して製品が汚れやすく、治具の使用によって組立時間およびコストが多く掛かってしまう。
【特許文献１】特開２００８−７０４０６号公報
【考案の開示】
【考案が解決しようとする課題】
【０００４】
本考案の目的は、従来技術の欠点を解決した、生産コストが安く、組立時間が短い２画面を有する液晶表示装置を提供することにある。
【課題を解決するための手段】
【０００５】
上述の課題を解決するために、本考案は２画面を有する液晶表示装置を提供するものであり、枠体と、枠体内に固定されるバックライトモジュールと、主画面と、枠体上に固定される副画面と、を備える。枠体はケーシングを備え、ケーシングは基板を有し、基板上には複数のストッパー壁が設けられる。副画面は枠体のケーシング上に固定され、副画面の辺縁がストッパー壁上に支持される。
【０００６】
上述の課題を解決するために、本考案は他の２画面を有する液晶表示装置を提供するものであり、枠体と、枠体内に固定されるバックライトモジュールと、主画面と、枠体上に固定される副画面と、を備える。枠体は主枠を備え、主枠体は基板を有し、基板上には複数のストッパー壁が設けられる。副画面は枠体の主枠上に固定され、副画面の辺縁がストッパー壁上に支持される。
【考案の効果】
【０００７】
本考案の２画面を有する液晶表示装置の組立過程において、副画面が枠体上に固定されるとき、副画面の辺縁をストッパー壁上に支持させることによって位置決めが行われ、治具を使用することなく、副画面を枠体上に組立てることができるので、２画面を有する液晶表示装置の生産コストを低減でき、組立時間を短縮できる。
【考案を実施するための最良の形態】
【０００８】
本考案の目的、特徴および効果を示す実施例を図に沿って詳細に説明する。
【０００９】
図１、２に示すように、本実施例の２画面を有する液晶表示装置は、枠体と、枠体内に固定される主画面３０と、バックライトモジュール２０と、枠体上に固定される副画面４０と、を有する。枠体はケーシング１１、内枠１２および蓋枠１３から構成される。
【００１０】
図２、３、４に示すように、ケーシング１１は矩形で板状の基板１１０を有し、基板１１０の各辺縁には垂直上方に側壁部１１１が設けられる。側壁部１１１上には複数の係合溝１１２および複数の係合部１１３が設けられる。側壁部１１１上には更にケーシング開口１１４が設けられる。基板１１０上には矩形の孔１１５が設けられ、基板１１０の孔１１５隣の周縁には複数の補助孔１１６が設けられ、補助孔１１６の孔縁には外部にストッパー壁１１７が垂直に形成される。基板１１０のストッパー壁１１７内側には方形枠型の両面粘着テープ６０が貼合される。
【００１１】
図２に示すように、内枠１２はプラスチック材料から製造され、ケーシング１１内に設置され、内枠１２は複数の辺枠部１２０を有し、辺枠部１２０によって第１の方形空間１２１が形成され、各辺枠部１２０の外側縁には垂直上方に枠壁１２２が設けられ、一枠壁１２２上にはケーシング開口１１４に対応する内枠開口１２５が設けられる。枠壁１２２上には複数のケーシング１１の係合溝１１２と係合される凸部１２３が設けられる。
【００１２】
蓋枠１３はケーシング１１上に設置され、複数の枠辺１３０を有し、複数の枠辺１３０によって第２の方形空間１３１が形成される。各枠辺１３０外側縁には垂直下方に側壁１３２が設けられる。側壁１３２上には複数のケーシング１１の係合部１１３と係合される開溝部１３４が設けられ、一側壁１３２上にはケーシング開口１１４に対応する蓋枠開口１３５が設けられる。
【００１３】
図２、５に示すように、主画面３０と副画面４０と主回路板５０とは接続される。主回路板５０は略方形であり、フレキシブル回路板である。主回路板５０の中間には矩形の副画面収容孔５３が設けられる。主回路板５０の外側縁中部には主画面接続部５１が形成され、他端の内側縁中部には副画面接続部５２が形成され、主画面接続部５１および副画面接続部５２上には信号線がエッチングによって形成される（図示せず）。主画面接続部５１の末端と主画面３０の一端とは固定され、主画面接続部５１の信号線と主画面３０上の信号線とは電気的に接続される。副画面収容孔５３は副画面４０を収容するのに使用され、主回路板５０の副画面接続部５２の末端と副画面４０の一端とは固定され、副画面接続部５２の信号線と副画面４０の信号線とは電気的に接続される。主回路板５０の内側縁と副画面４０の辺縁との間には隙間５４が形成され、隙間５４はケーシング１１のストッパー壁１１７を収容するのに使用される。
【００１４】
図２、５、６、７に示すように、本考案の２画面を有する液晶表示装置を組立てるとき、先ず、内枠１２をケーシング１１内に設置し、内枠１２の枠壁１２２上の凸部１２３をケーシング１１の側壁部１１１の係合溝１１２内に嵌合する。その後、バックライトモジュール２０を内枠１２の第１の方形空間１２１内に設置し、バックライトモジュール２０の辺縁をケーシング１１の基板１１０の孔１１５に近い辺縁上に設置する。次に、主画面３０を内枠１２の第１の方形空間１２１上方に設置し、主画面３０を内枠１２の辺枠部１２０上に粘着する。次に、蓋枠１３をケーシング１１および内枠１２上に設置し、蓋枠１３の側壁１３２をケーシング１１の側壁部１１１に被覆し、開溝部１３４と係合部１１３とを係合固定することによって、蓋枠１３とケーシング１１と内枠１２とを固定する。最後に、副画面４０を枠体上に設置する。ケーシング開口１１４、内枠開口１２５および蓋枠開口１３５に主回路板５０の主画面接続部５１を通過させ、副画面４０の辺縁をケーシング１１のストッパー壁１１７上に支持し、両面粘着テープ６０上に貼合する。このとき、ケーシング１１のストッパー壁１１７は主回路板５０と副画面４０との間の隙間５４内に収容され、それによって副画面４０は枠体のケーシング１１上に固定される。
【００１５】
図８から図１１は本考案の２画面を有する液晶表示装置の第２の実施例を示し、本実施例は第１の実施例と類似するが、異なる点として、枠体は蓋枠１３および主枠１４を備える。主枠１４はプラスチック材料から製造され、主枠１４は矩形の基板１４０を有し、基板１４０の各辺縁には垂直上方に第１の枠壁１４１が設けられ、第１の枠壁１４１の外側縁には垂直上方に第２の枠壁１４２が設けられ、第１の枠壁１４１および第２の枠壁１４２上には複数の蓋枠１３の開溝部１３４と係合される複数の係合部１４３が設けられる。一側の第１の枠壁１４１および第２の枠壁１４２上には蓋枠開口１３５に対応する主枠開口１４４が設けられる。基板１４０上には孔１４５が設けられ、基板１４０の孔１４５隣の周縁には外方向にストッパー壁１４７が基板１４０に垂直に設けられる。
【００１６】
本実施例の２画面を有する液晶表示装置を組立てるとき、バックライトモジュール２０および主画面３０を主枠１４および蓋体１３によって形成された内部空間（図示せず）内に設置する。バックライトモジュール２０の辺縁を主枠１４の基板１４０の孔１４５に近い辺縁上に設置し、主画面３０の辺縁を主枠１４の第１の枠壁１４１の辺縁上に設置する。
【００１７】
上述の説明から分かるように、組立過程において、副画面４０を枠体上に固定するとき、副画面４０の辺縁をストッパー壁１１７、１４７上に支持し、副画面４０を両面粘着テープ６０上に貼合することによって、副画面４０を枠体のケーシング１１または主枠１４上に固定することができ、治具を使用することなく、副画面１４を枠体上に組立てることができるので、２画面を有する液晶表示装置の生産コストを低減でき、組立時間を短縮できる。
【図面の簡単な説明】
【００１８】
【図１】本考案の２画面を有する液晶表示装置の第１の実施例を示す斜視図である。
【図２】図１に示す２画面を有する液晶表示装置の分解斜視図である。
【図３】図１に示す２画面を有する液晶表示装置のケーシングを示す斜視図である。
【図４】図３のＩＩ部分の拡大図である。
【図５】図１に示す２画面を有する液晶表示装置の主回路板、主画面および副画面を接続した後の状態を示す斜視図である。
【図６】図１に示す２画面を有する液晶表示装置の組立過程における一状態を示す斜視図である。
【図７】図１のＶＩ‐ＶＩ線断面図である。
【図８】本考案の２画面を有する液晶表示装置の第２の実施例を示す斜視図である。
【図９】図８に示す２画面を有する液晶表示装置の分解斜視図である。
【図１０】図８に示す２画面を有する液晶表示装置の主枠を示す斜視図である。
【図１１】図８のＶＩＩ‐ＶＩＩ線断面図である。
【符号の説明】
【００１９】
１１  ケーシング
１１０、１４０  基板
１１１  側壁部
１１２  係合溝
１１３、１４３  係合部
１１４  ケーシング開口
１１５、１４５  孔
１１６  補助孔
１１７、１４７  ストッパー壁
１２  内枠
１２０  辺枠部
１２１  第１の方形空間
１２２  枠壁
１２３  凸部
１２５  内枠開口
１３  蓋枠
１３０  枠辺
１３１  第２の方形空間
１３２  側壁
１３４  開溝部
１３５  蓋枠開口
１４  主枠
１４１  第１の枠壁
１４２  第２の枠壁
１４４  主枠開口
２０  バックライトモジュール
３０  主画面
４０  副画面
５０  主回路板
５１  主画面接続部
５２  副画面接続部
５３  副画面収容孔
５４  隙間
６０  両面粘着テープ
【図１】
0003142775.tif 000003
【図２】
0003142775.tif 000004
【図３】
0003142775.tif 000005
【図４】
0003142775.tif 000006
【図５】
0003142775.tif 000007
【図６】
0003142775.tif 000008
【図７】
0003142775.tif 000009
【図８】
0003142775.tif 000010
【図９】
0003142775.tif 000011
【図１０】
0003142775.tif 000012
【図１１】
0003142775.tif 000013